(57)【要約】【課題】１つの画像を複数回表示する際に生じる動きの不自然さを少なくした画像表示装置及び映像受信表示装置を提供する。【解決手段】１垂直走査分の第１の入力映像信号に対応する複数の画像の表示の終了と、第１の入力映像信号の次の１垂直走査分の第２の入力映像信号に対応する画像の表示の開始と、の間に設けられる非表示期間ＴＣが、  ＴＣ＞（ＴＡ−ＴＢ）／Ｎとなるように、映像信号の出力を制御する。ここで、ＴＡは、第１の入力映像信号に対応する複数の画像の表示の開始から第２の入力映像信号に対応する画像の表示の開始までの期間、ＴＢは、第１の入力映像信号に対応する複数の画像それぞれの表示期間の合計、Ｎは、第１の入力映像信号に対応する複数の画像の数。【選択図】図５
2006133741.tif 000002
【特許請求の範囲】
【請求項１】
互いに異なる色の複数の画素を有し、１垂直走査によりカラーかつ中間調の画像の表示が可能な表示パネルと、
１垂直走査分の入力映像信号に対応する、複数回の垂直走査によって順次表示される複数の画像分の映像信号を出力する映像信号出力回路と、
１垂直走査分の第１の入力映像信号に対応する複数の画像の表示の終了と、前記第１の入力映像信号の次の１垂直走査分の第２の入力映像信号に対応する画像の表示の開始と、の間に設けられる非表示期間ＴＣが、
ＴＣ＞（ＴＡ−ＴＢ）／Ｎ
ＴＡ：前記第１の入力映像信号に対応する前記複数の画像の表示の開始から前記第２の入力映像信号に対応する前記画像の表示の開始までの期間
ＴＢ：前記第１の入力映像信号に対応する前記複数の画像それぞれの表示期間の合計
Ｎ：前記第１の入力映像信号に対応する前記複数の画像の数
となるように、前記映像信号の出力を制御する制御回路と、
を備えることを特徴とする画像表示装置。
【請求項２】
前記Ｎの数が、２であることを特徴とする請求項１記載の画像表示装置。
【請求項３】
前記複数の画像のそれぞれの表示期間が、同じ期間であることを特徴とする請求項１または２に記載の画像表示装置。
【請求項４】
前記１垂直走査分の入力映像信号がノンインタレース映像信号であり、
前記映像信号出力回路は、前記１垂直走査分の入力映像信号を分割または複製して、前記１垂直走査分の入力映像信号に対応する前記複数の画像分の映像信号を出力することを特徴とする請求項１乃至３のいずれか１項に記載の画像表示装置。
【請求項５】
前記１垂直走査分の入力映像信号がインタレース映像信号であり、
前記映像信号出力回路は、前記１垂直走査分の入力映像信号を複製して前記１垂直走査分の入力映像信号に対応する前記複数の画像分の映像信号を出力することを特徴とする請求項１乃至３のいずれか１項に記載の画像表示装置。
【請求項６】
前記１垂直走査分の入力映像信号は、複数回の垂直走査分の映像信号を合成した１垂直走査分の映像信号であり、
前記映像信号出力回路は、前記１垂直走査分の入力映像信号を分割または複製して、前記１垂直走査分の入力映像信号に対応する前記複数の画像分の映像信号を出力することを特徴とする請求項１乃至５のいずれか１項に記載の画像表示装置。
【請求項７】
前記入力映像信号が、１垂直走査分の元映像信号からｎ回（ｎは整数）の垂直走査によって順次画像が表示されるように変換された映像信号であり、
前記映像信号出力回路は、前記１垂直走査分の入力映像信号に対応する、ｎ回よりも少ないｍ回（ｍは整数）の垂直走査によって順次表示される画像分の映像信号を出力することを特徴とする請求項１乃至６のいずれか１項に記載の画像表示装置。
【請求項８】
前記入力映像信号が、１垂直走査分の元映像信号から変換された３つの垂直走査分の映像信号と、１垂直走査分の元映像信号から変換された２つの垂直走査分の映像信号と、を交互に配置された映像信号であり、
前記映像信号出力回路は、
１垂直走査分の元映像信号から変換された３つの垂直走査分の映像信号に対応する、２つの垂直走査によって順次表示される画像分の映像信号と、
１垂直走査分の元映像信号から変換された２つの垂直走査分の映像信号に対応する、２つの垂直走査によって順次表示される画像分の映像信号と、を出力する
ことを特徴とする請求項１乃至６のいずれか１項に記載の画像表示装置。
【請求項９】
互いに異なる色の複数の画素を有し、１垂直走査により表示される２値の明るさのうちいずれかの明るさの画像を複数回の垂直走査により組み合わせてカラーかつ中間調の画像の表示が可能な表示パネルと、
１垂直走査分の入力映像信号に対応する、カラーかつ中間調の複数の画像分の映像信号を出力する映像信号出力回路と、
１垂直走査分の第１の入力映像信号に対応する、カラーかつ中間調の複数の画像の表示の終了と、前記第１の入力映像信号の次の１垂直走査分の第２の入力映像信号に対応するカラーかつ中間調の画像の表示の開始と、の間に設けられる非表示期間ＴＣが、
ＴＣ＞（ＴＡ−ＴＢ）／Ｎ
ＴＡ：前記第１の入力映像信号に対応する前記複数の画像の表示の開始から前記第２の入力映像信号に対応する前記画像の表示の開始までの期間
ＴＢ：前記第１の入力映像信号に対応する前記複数の画像それぞれの表示期間の合計
Ｎ：前記第１の入力映像信号に対応する前記複数の画像の数
となるように、前記映像信号の出力を制御する制御回路と、
を備えることを特徴とする画像表示装置。
【請求項１０】
１垂直走査により単色画像を表示し、複数回の垂直走査により前記単色画像を組み合わせてカラーかつ中間調の画像の表示が可能な表示パネルと、
１垂直走査分の入力映像信号に対応する、カラーかつ中間調の複数の画像分の映像信号を出力する映像信号出力回路と、
１垂直走査分の第１の入力映像信号に対応する、カラーかつ中間調の複数の画像の表示の終了と、前記第１の入力映像信号の次の１垂直走査分の第２の入力映像信号に対応するカラーかつ中間調の画像の表示の開始と、の間に設けられる非表示期間ＴＣが、
ＴＣ＞（ＴＡ−ＴＢ）／Ｎ
ＴＡ：前記第１の入力映像信号に対応する前記複数の画像の表示の開始から前記第２の入力映像信号に対応する前記画像の表示の開始までの期間
ＴＢ：前記第１の入力映像信号に対応する前記複数の画像それぞれの表示期間の合計
Ｎ：前記第１の入力映像信号に対応する前記複数の画像の数
となるように、前記映像信号の出力を制御する制御回路と、
を備えることを特徴とする画像表示装置。
【請求項１１】
請求項１乃至１０のいずれか１項に記載の画像表示装置と、
無線放送、有線放送、またはインターネットから得られる映像信号を受信して前記画像表示装置に出力する信号を生成する映像情報受信装置と、
を有することを特徴とする映像受信表示装置。
【発明の詳細な説明】
【技術分野】
【０００１】
本発明は、１画像分の映像信号をもとに複数の画像を表示する画像表示装置および映像受信表示装置に関する。
【背景技術】
【０００２】
フリッカを低減するために、１フレーム分の入力映像信号をもとに２回の垂直走査によって２回画像を表示する技術、いわゆる倍速表示技術が特許文献１に開示されている。
【０００３】
サブフィールド内の発光時間幅がサブフィールドの時間幅の半分（デュ−ティ比５０％）になるように、素子を発光させる画像表示技術が特許文献２に開示されている。
【０００４】
少なくとも１つの非表示フィールドを必ずフレームとフレームの間に入れて、フレーム内において比較的長い非表示時間を有するインパルス型の表示方法に近づける画像表示技術が特許文献３に開示されている。
【特許文献１】特開２００４−２１９８８４号公報
【特許文献２】特開平０９−０８３９１１号公報
【特許文献３】特開２００２−１６９５１５号公報
【発明の開示】
【発明が解決しようとする課題】
【０００５】
一般的なテレビ放送における映像信号リフレッシュレートは、５０Ｈｚあるいは６０Ｈｚである。この周期で表示される画面ではフリッカ（ちらつき）妨害が感じられることがある。特に大画面の画像表示装置では妨害感が顕著になる。そこでフリッカを低減するために、１フレーム分の元映像信号をもとに２回画像を表示することにより、表示リフレッシュレートを１００Ｈｚあるいは１２０Ｈｚに変換する倍速表示方法が知られている。しかし、この倍速表示方法においては以下のような現象が生じる。
【０００６】
画像表示装置における動画表示は、網膜の残像現象を利用している。たとえば、画面上を物体が移動すると、その物体に視線が追従し、網膜の定位置に残像が形成される。このときの視線の動き（期待位置）と実際に画面に表示される物体の位置（表示位置）とが一致していると、物体がなめらかに移動しているようにみえる。映像信号を一般的なリフレッシュレート（５０〜６０Ｈｚ）で表示する場合には、図１４のように、表示される物体の位置と期待位置とが一致しているため、特に問題は生じない。
【０００７】
これに対して倍速表示方法では、２回続けて同じ画像を表示するため、図１５のように２回目の表示画像（挿入画像）中の物体位置が期待位置とずれてしまう。よって、物体が移動と静止を交互に繰り返すような表示となり、物体の動きが不自然に感じられることがある。
【０００８】
また、映像信号リフレッシュレートが２４Ｈｚの元映像信号から３−２プルダウン変換された、映像信号リフレッシュレートが６０Ｈｚの映像信号が画像表示装置に入力される場合がある。図１６に示すように、３−２プルダウン変換において、１フレーム分の元映像信号（Ｆ３）は、３−２プルダウン変換後に３つのフレーム分の映像信号（Ｆ３−１，Ｆ３−２，Ｆ３−３）に複製される。また、１フレーム分の元映像信号（Ｆ４）は、３−２プルダウン変換後に２つのフレーム分の映像信号（Ｆ４−１，Ｆ４−２）に複製される。このように、３−２プルダウン変換映像信号では、元映像信号のフレーム各々に対応する変換後の映像信号のフレームの数が異なる。したがって、３−２プルダウン変換映像信
号によって表示される映像においても、上記と同様に、画面上の表示位置と期待位置とが一致せず、映像上の物体の動きが不自然に感じられる問題があった。
【０００９】
本発明の目的は、１つの画像を複数回表示する際に生じる動きの不自然さを少なくした画像表示装置及び映像受信表示装置を提供することにある。
【課題を解決するための手段】
【００１０】
本発明の第１態様に係る画像表示装置は、
互いに異なる色の複数の画素を有し、１垂直走査によりカラーかつ中間調の画像の表示が可能な表示パネルと、
１垂直走査分の入力映像信号に対応する、複数回の垂直走査によって順次表示される複数の画像分の映像信号を出力する映像信号出力回路と、
１垂直走査分の第１の入力映像信号に対応する複数の画像の表示の終了と、前記第１の入力映像信号の次の１垂直走査分の第２の入力映像信号に対応する画像の表示の開始と、の間に設けられる非表示期間ＴＣが、
ＴＣ＞（ＴＡ−ＴＢ）／Ｎ
となるように、前記映像信号の出力を制御する制御回路と、を備える。
【００１１】
本発明の第２態様に係る画像表示装置は、
互いに異なる色の複数の画素を有し、１垂直走査により表示される２値の明るさのうちいずれかの明るさの画像を複数回の垂直走査により組み合わせてカラーかつ中間調の画像の表示が可能な表示パネルと、
１垂直走査分の入力映像信号に対応する、カラーかつ中間調の複数の画像分の映像信号を出力する映像信号出力回路と、
１垂直走査分の第１の入力映像信号に対応する、カラーかつ中間調の複数の画像の表示の終了と、前記第１の入力映像信号の次の１垂直走査分の第２の入力映像信号に対応するカラーかつ中間調の画像の表示の開始と、の間に設けられる非表示期間ＴＣが、
ＴＣ＞（ＴＡ−ＴＢ）／Ｎ
となるように、前記映像信号の出力を制御する制御回路と、を備える。
【００１２】
本発明の第３態様に係る画像表示装置は、
１垂直走査により単色画像を表示し、複数回の垂直走査により前記単色画像を組み合わせてカラーかつ中間調の画像の表示が可能な表示パネルと、
１垂直走査分の入力映像信号に対応する、カラーかつ中間調の複数の画像分の映像信号を出力する映像信号出力回路と、
１垂直走査分の第１の入力映像信号に対応する、カラーかつ中間調の複数の画像の表示の終了と、前記第１の入力映像信号の次の１垂直走査分の第２の入力映像信号に対応するカラーかつ中間調の画像の表示の開始と、の間に設けられる非表示期間ＴＣが、
ＴＣ＞（ＴＡ−ＴＢ）／Ｎ
となるように、前記映像信号の出力を制御する制御回路と、を備える。
【００１３】
ここで、
ＴＡは、前記第１の入力映像信号に対応する前記複数の画像の表示の開始から前記第２の入力映像信号に対応する前記画像の表示の開始までの期間であり、
ＴＢは、前記第１の入力映像信号に対応する前記複数の画像それぞれの表示期間の合計であり、
Ｎは、前記第１の入力映像信号に対応する前記複数の画像の数である。
【００１４】
本発明の第４態様に係る映像受信表示装置は、
上記画像表示装置と、
無線放送、有線放送、またはインターネットから得られる映像信号を受信して前記画像表示装置に出力する信号を生成する映像情報受信装置と、を有する。
【発明の効果】
【００１５】
本発明によれば、１つの画像を複数回表示する際に生じる動きの不自然さを少なくすることができる。
【発明を実施するための最良の形態】
【００１６】
以下に図面を参照して、この発明の好適な実施の形態を例示的に詳しく説明する。
【００１７】
（画像表示装置の構成）
図１に、本発明の実施形態に係る画像表示装置の構成を示す。画像表示装置は、画像信号生成回路１０１と画像表示器１０２を有する。同期分離部４、ＡＤコンバータ５、は必要に応じて設けられる。
【００１８】
画像信号生成回路１０１は、制御回路６、画像処理部７、走査線変換部８、及び、フレームメモリ９を有する。制御回路６はマイクロコンピュータあるいは論理回路などから構成される。走査線変換部８は、入力された映像信号の走査線構造を変換する回路であり、フレームメモリ９は映像信号を一時的に蓄える記憶部である。本実施形態では、制御回路として制御回路６を、映像信号出力回路として走査線変換部８を適用することができる。
【００１９】
画像表示器１０２は、表示パネル１、走査駆動部２、変調駆動部３を有する。表示パネル１の詳しい構成は後述する。走査駆動部２は、スイッチ２２、選択電圧発生部２３、非選択電圧発生部２４から構成される。変調駆動部３はシフトレジスタ３１、ラッチ３２、パルス幅変調回路３３、駆動アンプ３４から構成される。
【００２０】
同期分離部４は、画像表示装置に入力されたアナログ映像信号Ｓ１から、同期信号Ｓ２を分離する。分離された同期信号Ｓ２は制御回路６に入力される。制御回路６は、Ｓ５〜Ｓ１０およびＳ１２の制御信号を生成し、これらの制御信号を各部に供給する。ここで、Ｓ５はＡＤコンバータ５に供給する変換タイミング信号、Ｓ６は画像処理部７の制御を行う画像処理制御信号、Ｓ７はシフトレジスタ３１の動作を制御する映像クロック信号、Ｓ８は変調駆動部３の動作を制御する変調制御信号、Ｓ９はパルス幅変調回路３３の動作基準となるＰＷＭクロック、Ｓ１０は走査駆動部２の動作を制御する走査制御信号、Ｓ１２は走査線変換部８からフレームメモリ９および変調駆動部３への映像信号の出力を制御する出力制御信号である。
【００２１】
ＡＤコンバータ５は、変換タイミング信号Ｓ５に従ってアナログ映像信号Ｓ１をサンプリングし、デジタル映像信号Ｓ３を生成する。画像処理部７は、デジタル映像信号Ｓ３に画像調整や解像度変換などの画像処理を施す。画像処理後の映像信号Ｓ４は走査線変換部８に入力される。走査線変換部８は、１フレーム分の映像信号Ｓ４をフレームメモリ９に一旦蓄え、所定の期間の後、走査配線Ｄｘ１〜Ｄｘｍに選択電圧Ｖ１を印加する順番に従って、フレームメモリ９から各行のデータを読み出す。これにより走査線変換が行われる。走査線変換後の映像信号Ｓ１１は走査線変換部８から出力され、変調駆動部３に入力される。以下、画像処理後の映像信号Ｓ４を「表示信号Ｓ４」とよび、走査線変換後の映像信号Ｓ１１を「走査線変換信号Ｓ１１」とよぶ。
【００２２】
（表示パネルの構成）
本発明は、互いに異なる色の複数の画素を有し１垂直走査によりカラー画像の中間調表示が可能な画像表示装置に好ましく適用できるものである。カラー画像表示とは、１つの画像を構成する画素がそれぞれ異なる色を表現できる表示のことをいう。また、中間調表
示とは、３値以上の階調を指定する映像信号に対応して、１つの画像を構成する画素それぞれが３階調以上を表現できる表示のことをいう。
【００２３】
また、本発明は、１垂直走査により表示される２値の明るさのうちいずれかの明るさの画像を複数回の垂直走査により組み合わせてカラー画像の中間調表示が可能な画像表示装置において、１垂直走査分の入力映像信号をもとに、該１垂直走査分の入力映像信号に対応する、複数表示されるカラーかつ中間調の画像を表示する場合にも、好ましく適用できるものである。例として、本発明は、ＰＤＰの駆動方法である、いわゆるサブフィールド方式にも適用できる。
【００２４】
また、１垂直走査により単色画像を表示し、複数回の垂直走査により前記単色画像を組み合わせてカラー画像の中間調表示が可能な画像表示装置において、１垂直走査分の入力映像信号をもとに、該１垂直走査分の入力映像信号に対応する、複数表示されるカラーかつ中間調の画像を表示する場合にも、好ましく適用できるものである。例として、本発明は、液晶ディスプレイ等の駆動方法である、いわゆるカラーシーケンシャル方式にも適用できる。
【００２５】
本発明に用いることができる画像表示装置としては、電界放出型ディスプレイ（ＦＥＤ）、プラズマ表示装置（ＰＤＰ）、エレクトロルミネセンス表示装置（ＥＬ素子）、インパルス型表示を行う液晶表示装置（ＬＣＤ）が挙げられる。その中でも本発明の画像表示装置としては、特に電界放出型ディスプレイを好ましく適用することができる。
【００２６】
図２は、本発明に用いることのできる電界放出型ディスプレイの表示パネル１の斜視図である。なお、図２では、内部構造を示すためにパネルの一部を切り欠いて示している。表示パネル１では、リアプレート１０、側壁１１及びフェースプレート１２が、パネル内部を真空に維持するための気密容器を形成している。
【００２７】
リアプレート１０上には、炭素繊維を用いた冷陰極電子放出素子や表面伝導型電子放出素子などの電子放出素子１４がｎ×ｍ個形成されている。電子放出素子１４は一対の電極を有し、各々の電極に行方向の走査配線と列方向の変調配線とが接続される。走査配線及び変調配線を介して電子放出素子１４の電極間に電圧を印加することによって、電子が放出される。電子放出素子１４の電流電圧特性は、図３に示すような非線形特性を有する。Ｖｆは電極間に印加する素子電圧、Ｉｆは電極間に流れる素子電流、Ｉｅは、電子放出素子１４と後述するメタルバック１６との間に流れる放出電流である。この例では、しきい値電圧Ｖｔｈより大きい素子電圧を印加したときに、放出電流Ｉｅが発生する。
【００２８】
フェースプレート１２のリアプレート１０側の表面には、蛍光膜１５が設けられている。本実施形態に係る画像表示装置はカラー画像表示装置であるため、蛍光膜１５として、赤、緑、青の３原色の蛍光体（不図示）が塗り分けられている。蛍光膜１５は、基板１３上の電子放出素子１４から放出される電子が照射される位置に合わせて配列されている。単色の蛍光体の各々を１つの画素という。
【００２９】
蛍光膜１５のリアプレート１０側の表面には、導電性部材であるメタルバック１６が形成されている。メタルバック１６に高電圧を印加すると、リアプレート１０とフェースプレート１２の間に電位差が生じる。この電位差によって、電子放出素子から放出された電子が加速され、蛍光膜１５に衝突する。これにより、蛍光体が発光し、カラー画像を形成できる。
【００３０】
（表示パネルの駆動方法）
上記構成の表示パネル１の駆動方法について説明する。
【００３１】
走査駆動部２が、走査制御信号Ｓ１０に従って、行方向の走査配線を一行ずつあるいは複数行ずつ走査する。一行ずつ走査する場合、走査駆動部２は、ｉ番目の走査配線Ｄｘｉに選択電圧Ｖ１を印加して選択状態にするとともに、他の走査配線Ｄｘｋ（ｋ＝１，２，・・・，ｎ、ただしｋ≠ｉ）に非選択電圧Ｖ２を印加して非選択状態にする。例えば、選択電圧Ｖ１はしきい値電圧Ｖｔｈより低い電圧である−８Ｖに設定し、非選択電圧Ｖ２はグランド電位とすればよい。
【００３２】
また、変調駆動部３が、１行分の走査線変換信号Ｓ１１に基づいて電圧振幅Ｖｐｗｍのパルス幅変調信号（電位Ｖｐｗｍとグランド電位とのいずれかを出力する信号）を生成する。そして、変調駆動部３が、そのパルス幅変調信号をすべての変調配線Ｄｙｊ（ｊ＝１〜ｍ）の電圧供給端子に供給する。例えば、電位Ｖｐｗｍは＋８Ｖに設定すればよい。
【００３３】
非選択電圧Ｖ２が印加されている走査配線に接続された電子放出素子は、電位Ｖｐｗｍのパルス幅変調信号が印加されている変調配線に接続されていても電子を放出しない。
【００３４】
選択電圧Ｖ１が印加された走査配線に接続された電子放出素子は、パルス幅変調信号が電位Ｖｐｗｍである期間に応じて電子を放出する。パルス幅変調信号がグランド電位である期間は、選択された走査配線に接続された電子放出素子の両端に印加される電圧はＶ１であるため、その電子放出素子からは電子が放出されない。放出された電子は前述の蛍光体に衝突し、蛍光体を発光させる。蛍光体の発光輝度は、放出された電子ビームの量にほぼ比例する。よって、パルス幅変調の場合は、変調信号のパルス幅（電子の放出時間）により輝度を調整することができる。
【００３５】
選択電圧Ｖ１を印加する走査配線を順次切り替えながら、その選択行に対応する変調信号を変調配線に供給することにより、垂直走査（インタレース走査もしくはプログレッシブ走査）を行い、複数の表示ラインによって一つの画面が構成される。このような駆動方式は、線順次走査・パルス幅変調とよばれる。
【００３６】
なお、ここでは、電子放出素子を単純マトリクス配線した表示パネル１の構造と、その表示パネル１を線順次走査・パルス幅変調方式で駆動する方法について説明した。しかし、本発明は、パルス振幅変調方式や、パルス幅変調方式とパルス振幅変調方式を組み合わせた方式にも、好ましく適用することができる。こうして、各画素が中間調表示を行うことができる。
【００３７】
また、本発明は、画像を表示する領域の画素を一斉に発光させる、面順次方式の画像表示装置にも適用することが可能である。
【００３８】
（表示方法の説明）
画像表示装置における表示方法には、大別して、インタレース走査とノンインタレース走査とがある。
【００３９】
インタレース走査方式では、偶数行の走査ライン画像信号に基づいて表示される画像と、奇数行の走査ライン画像信号に基づいて表示される画像とを交互に表示する。この偶数行の走査ライン画像信号から表示される画像を偶数フィールドとよび、奇数行の走査ライン画像信号から表示される画像を奇数フィールドとよぶ。したがって、インタレース走査方式においては、１垂直走査によって、１フィールドの画像が表示される。また、偶数行の走査ライン画像信号に基づいて表示される画像、または奇数行の走査ライン画像信号に基づいて表示される画像を、それぞれサブフィールドと呼ぶ。
【００４０】
ノンインタレース走査方式では、全走査ラインを表示することにより画像が表示される。この画像を１フレームとよぶ。したがって、ノンインタレース走査方式においては、１垂直走査によって、１フレームの画像が表示される。また、１フレーム分のノンインタレース映像信号に基づいて、複数回の垂直走査により複数の画像を表示するとき、それらの画像をサブフレームとよぶ。
【００４１】
表示リフレッシュレートとは、１秒間に実際に表示される画像の数であり、１秒間の垂直走査回数に相当する。また、映像信号リフレッシュレートとは、映像信号が要求するリフレッシュレートであって、映像信号がＮＴＳＣ信号であれば６０Ｈｚ、ＰＡＬであれば５０Ｈｚ、６０ｐ信号であれば６０Ｈｚ、６０ｉ信号であれば６０Ｈｚが映像信号リフレッシュレートである。なお、例えばＮＴＳＣ信号をＩＰ変換して３０ｐ信号に変換した映像信号を用いる場合にはその映像信号の映像信号リフレッシュレートは３０Ｈｚである。
【００４２】
ここで、１垂直走査とは、１回の表示処理をいう。上述した線順次走査駆動方式の場合、１回の表示処理は、先頭の走査配線から最後の走査配線まで駆動する処理を意味する。また、面発光型駆動方式の場合、１回の表示処理は、画像を構成する画素を実質的に発光させ、画像を構成する画素を実質的に発光終了させるように駆動する処理を意味する。
【００４３】
ノンインタレース走査方式においては、１フレームが１垂直走査によって表示される。また、１フレームが偶数フィールドと奇数フィールドとからなるインタレース走査方式においては、１フィールドが１垂直走査によって表示される。
【００４４】
（表示タイミング制御）
本実施形態の画像表示装置では、１垂直走査分の入力映像信号を変換して、１垂直走査分の入力映像信号に対応する、複数回の垂直走査によって順次表示される複数の画像の映像信号を出力し、出力された映像信号をもとに画像を表示するようにする。その態様には、例えば以下のものがある。
【００４５】
（１）ノンインタレース映像信号が入力されたときに、１フレーム分の入力映像信号を偶数フィールド分と奇数フィールド分の映像信号に変換（分割）し、変換後のフィールドに対応する映像信号をもとに画像を表示する、インタレース走査方式で表示を行う態様。
【００４６】
（２）ノンインタレース映像信号が入力されたときに、１フレーム分の入力映像信号を複数のサブフレーム分の映像信号に変換（複製）し、そのサブフレーム分の映像信号をもとに画像を表示する、ノンインタレース走査方式で表示を行う態様。
【００４７】
（３）インタレース映像信号が入力されたときに、１フィールド分の入力映像信号を複数のサブフィールド分の映像信号に変換（複製）し、そのサブフィールド分の映像信号をもとに画像を表示する、インタレース走査方式で表示を行う態様。
【００４８】
（４）インタレース映像信号が入力されたときに、複数のフィールド分の入力映像信号を１つのフレーム分の映像信号に変換（合成）した後、その１フレーム分の映像信号をもとに複数のサブフレーム分の映像信号に変換（複製）する。そして、その複数のサブフレーム分の映像信号をもとに画像を表示する、ノンインタレース走査方式で表示を行う態様。
【００４９】
（５）インタレース映像信号が入力されたときに、複数のフィールド分の入力映像信号を１つのフレーム分の映像信号に変換（合成）した後、その１フレーム分の映像信号をもとに複数のサブフィールド分の映像信号に変換（分割）する。そして、その複数のサブフィールド分の映像信号をもとに画像を表示する、インタレース走査方式で表示を行う態様
。
【００５０】
（６）１フレーム分の元映像信号からＮ個（Ｎは整数）のフレーム分の映像信号に変換（複製）された映像信号が入力されたときに、入力映像信号のＮ個のフレーム分の映像信号に対応する、Ｎ個よりも少ないＭ個（Ｍは整数）のフレーム分の映像信号をもとに画像を表示する態様。例えば、３つのフレーム分の映像信号と、２つのフレーム分の映像信号と、が交互に配置される、３−２プルダウン変換された映像信号では、１フレーム分の元映像信号が、３つ又は２つのフレーム分の映像信号に複製されている。したがって、３−２プルダウン変換された映像信号が入力されたとき、入力映像信号のうち、３つのフレーム分の映像信号から、２つのフレーム分の映像信号を選び、３つのフレーム分の映像信号に対応する、２つの垂直走査によって画像を順次表示する。また、入力映像信号のうち、２つのフレーム分の映像信号に対応する、２回の垂直走査によって画像を順次表示する。
【００５１】
（７）１フレーム分の元映像信号を複数のフレーム分の映像信号に変換（複製）された映像信号が入力されたときに、１フレーム分の元映像信号に対応する、複数のフレームから１つだけを抽出することにより、元映像信号に逆変換し、その逆変換後の映像信号に対して上記（１）〜（５）のいずれかの処理を施す態様。
【００５２】
上記各態様においては、１垂直走査分の映像信号が複数回の垂直走査によって順次表示される複数の画像の映像信号に変換され、その結果複数の画像が繰り返し表示される。それゆえ、複数の画像を単純に時系列表示した場合には、物体の動きに不自然さが生まれる可能性がある。
【００５３】
そこで本実施形態の画像表示装置では、制御回路６が次のように映像信号の出力を制御する。制御回路６は、１垂直走査分の第１の入力映像信号に対応する複数の画像の表示の終了と、第１の入力映像信号の次の１垂直走査分の第２の入力映像信号に対応する画像の表示の開始と、の間に設けられる非表示期間ＴＣが、
ＴＣ＞（ＴＡ−ＴＢ）／Ｎ
となるように、映像信号の出力を制御する。ここで、ＴＡは、第１の入力映像信号に対応する複数の画像（のうち最初の画像）の表示の開始から、第２の入力映像信号に対応する画像の表示の開始までの期間である。ＴＢは、第１の入力映像信号に対応する複数の画像それぞれの表示期間の合計である。Ｎは、第１の入力映像信号に対応する複数の画像の数である。
【００５４】
言い換えると、制御回路６は、非表示期間ＴＣが、
ＴＣ＞ＴＣ１２，ＴＣ２３，・・・，ＴＣ（Ｎ−１）Ｎ
となるように、映像信号の出力を制御するものである。ここで、ＴＣｘ（ｘ＋１）は、第１の入力映像信号に対応する複数の画像のうち、ｘ番目の画像の表示の終了と（ｘ＋１）番目の画像の表示の開始との間の時間間隔である。ＴＣ１２，ＴＣ２３，・・・，ＴＣ（Ｎ−１）Ｎは、同一の間隔でもよいし、異なる間隔でもよい。ＴＣｘ（ｘ＋１）＞０の場合、２つの画像の間に非表示期間が存在するということである（以下の説明では、ＴＣｘ（ｘ＋１）を「第一の非表示期間」、ＴＣを「第二の非表示期間」、とよぶ。）。ＴＣｘ（ｘ＋１）＝０の場合、２つの画像は連続的に表示されるということである。
【００５５】
これにより、以下で説明する理由から、本発明に係る画像表示方法における画像の動き特性が、従来の倍速表示方法における画像の動き特性に比べ改善される。
【００５６】
従来の倍速表示における表示タイミング制御を示すタイミングチャートを、図１９を用いて説明する。図１９のタイミングチャートは、図１の本発明の実施形態に係る画像表示装置の構成において、従来の倍速表示となるようにタイミング制御をした場合の映像信号
のタイミングを表す。図１９において、Ｓ４は走査線変換前の表示信号、Ｓ１１は走査線変換後の走査線変換信号である。また、Ｄｙ（ｎ）は変調信号を示し、Ｄｘ１〜Ｄｘ（ｍ）はそれぞれの走査配線に印加される走査信号を示している。信号Ｓ４，Ｓ１１，Ｄｙ（ｎ）の矩形中に記載された数字は走査配線の番号を表し、この矩形の期間、その番号の走査配線に対応する行の信号が入力されていることを示す。また、走査信号Ｄｘ１〜Ｄｘ（ｍ）としては、選択電圧Ｖ１もしくは非選択電圧Ｖ２が供給される。選択電圧Ｖ１は非選択電圧Ｖ２よりも低い。尚、後述する図７〜図１０および図１２のタイミングチャートにおける表記も、同様である。
【００５７】
従来の倍速表示においては、第一の非表示期間ＴＣ１２（フィールド（Ｆ１−１）の画像とフィールド（Ｆ１−２）の画像との間の非表示期間）と第二の非表示期間ＴＣ（フィールド（Ｆ１−２）の画像とフィールド（Ｆ２−１）の画像との間の非表示期間）とが同じ長さＢである。したがって、図１５に示すように、画像表示間隔が等間隔となる。これにより、表示される画像内の物体の位置が、期待される物体の位置とずれて、物体の動きに不自然さが生まれる場合がある。
【００５８】
これに対し、本発明では、第二の非表示期間ＴＣが第一の非表示期間ＴＣｘ（ｘ＋１）よりも長くなるようにする（ＴＣｘ（ｘ＋１）＝０の場合も含む。）。すなわち、第１の入力映像信号に対応する複数の画像の表示間隔が、第１の入力映像信号に対応する最後の画像と第２の入力映像信号に対応する最初の画像との表示間隔よりも小さくなるように、表示タイミングが制御される。これにより、移動物体の期待位置と実際に画像として表示される位置とのずれが小さくなり、動きの不自然さが軽減されるのである。
【００５９】
本発明で、非表示期間とは、画像を構成する全画素を発光させない期間、または黒もしくは黒と同等の色（例えば黒に近いグレー）の画像を表示する期間をいう。
【００６０】
また、本実施形態における画像表示装置では、画像を構成する全画素を発光させないようにすると、画像表示装置の表示面が黒くなる。従って、このような場合、非表示期間とは、画像表示装置の表示面が黒くなる期間ともいうことができる。
【００６１】
尚、線順次走査により画像を表示する方式において、選択された走査ラインを発光させてから次の走査ラインを発光させるまでの間に非発光時間が発生する場合がある。しかし、本発明において、該非発光時間は、非表示期間には含まれない。
【００６２】
本発明において、画像の表示の開始とは、その画像を形成するための画面のうちの最初に発光（画面形成のための実質的な発光）を開始する部分が発光を開始する時のことをいう。なおここでは発光という用語を、液晶表示装置などのそれ自体では発光しない素子に光を照射して光変調する構成の画像表示装置の場合も用いることとし、その場合は、光変調デバイスによって変調された光が外部に取り出されることを発光として扱う。また、画像の表示の終了とは、その画像を形成するための画面の発光（画面形成のための実質的な発光）が終了した時のことをいう。画面形成のための実質的な発光とは、例えばプラズマ表示素子の維持放電による発光や液晶表示素子からの漏れ光などの背景的な発光を含まない。また例えば、画像表示装置の表示可能領域の一部の領域（実質的な表示領域）のみに実質的な画像表示を行う場合には、その実質的な表示領域以外での発光は画面形成のための実質的な発光には含まれない。具体的には、表示可能領域のアスペクト比が４：３の表示装置において、表示可能領域の上部もしくは下部もしくはその両方にグレー表示を行い１６：９のアスペクト比で画像表示を行う場合、該グレー表示は実質的な発光には含まれない。
【００６３】
このような表示タイミング制御により、単純に時系列表示する場合に比べて、画面上に
表示される物体と期待位置とのズレが小さくなり、動きの不自然さを少なくすることができる。
【００６４】
しかも、１垂直走査分の元映像信号をＮ回の垂直走査によって順次表示されるＮ個の画像の映像信号に変換して、それらの画像を順次表示することにより、表示リフレッシュレートが高くなるので、ちらつきを低減できるという利点もある。ちらつき低減の効果は、映像信号リフレッシュレートが７０Ｈｚより低い場合（つまりちらつきが生じやすい場合）に顕著である。ただし、本発明は、映像信号リフレッシュレートが７０Ｈｚ以上の映像信号の場合でも好ましく適用することができる。
【００６５】
ドライバの構成を簡易にするためおよび動体の動きを改善するためには、１垂直走査分の元映像信号に対応する垂直走査の回数（Ｎ）が少ないほうが好ましい。最も好ましくは、１垂直走査分の元映像信号に対応して、２回の垂直走査によって画像を表示する形態である。
【００６６】
また、本発明では、１垂直走査分の映像信号に対応する、Ｎ個の画像各々の表示期間は異なってもよいが、ドライバの構成を簡易にするために、各々の表示期間が等しくなるように構成することが好ましい。
【００６７】
次に、上記表示タイミング制御の好適な実施例を例示的に詳しく説明する。
【実施例１】
【００６８】
本実施例では、入力されたノンインタレース映像信号における１フレーム分の映像信号が２つのフィールド分の映像信号に分割され、各フィールド分の映像信号がインタレース走査により表示される。
【００６９】
図４は、本実施例における表示タイミング制御を示すタイミングチャートである。
【００７０】
走査線変換部８は、ノンインタレース構造の表示信号Ｓ４をフレームメモリ９に一旦蓄え、１フレーム分遅れで、フレームメモリ９から（１，３，５，７，・・・，２，４，６，８，・・・）の順に各行のデータを読み出し、走査線変換信号Ｓ１１として出力する。これによりインタレース構造への走査線変換が行われる。
【００７１】
一方、走査駆動部２は、走査配線Ｄｘ１〜Ｄｘｍをインタレース走査する。詳しくは、走査駆動部２は、まず、（Ｄｘ１，Ｄｘ２），（Ｄｘ３，Ｄｘ４），（Ｄｘ５，Ｄｘ６），・・・の順に２ライン同時に選択状態にして２ラインずつシフトするように走査を行う。次に（Ｄｘ２，Ｄｘ３），（Ｄｘ４，Ｄｘ５），（Ｄｘ６，Ｄｘ７），・・・の順に走査を行う。
【００７２】
このように画面を表示することによって図５に示すように、入力映像信号のフレーム（Ｆｎ）は奇数フィールド（Ｆｎ−１）と偶数フィールド（Ｆｎ−２）の２つのフィールドの映像信号に分割される。これらのフィールドの映像信号をもとに、それぞれ単独でカラーかつ中間調画面を形成する。よって、表示リフレッシュレートは映像信号リフレッシュレートの２倍となる。例えば、映像信号リフレッシュレートが６０Ｈｚの場合には、表示リフレッシュレートが１２０Ｈｚとなり、画面のちらつき（フリッカ）が低減される。
【００７３】
また、本実施例では、図４及び図５に示すように、１垂直走査分の第１の入力映像信号（フレーム（Ｆ１）（不図示））に対応する複数の画像（フィールド（Ｆ１−１）の画像およびフィールド（Ｆ１−２）の画像）の表示の終了と、次の１垂直走査分の第２の入力映像信号（フレーム（Ｆ２））に対応する画像（フィールド（Ｆ２−１）の画像）の表示
の開始と、の間に設けられる第二の非表示期間Ｂ２が、フィールド（Ｆ１−１）の画像の表示の終了とフィールド（Ｆ１−２）の画像の表示の開始との間に設けられる第一の非表示期間Ｂ１よりも長くなるように、制御回路６が映像信号の出力を制御する。すなわち、フレーム（Ｆ１）の入力映像信号に対応するフィールド（Ｆ１−１）の画像の表示の開始からフレーム（Ｆ２）の入力映像信号に対応するフィールド（Ｆ２−１）の画像の表示の開始までの期間をＴＡ、フレーム（Ｆ１）の入力映像信号に対応する複数のフィールド（フィールド（Ｆ１−１）およびフィールド（Ｆ１−２））の画像の表示期間の合計をＴＢ、フィールドの画像の数をＮとしたとき、第二の非表示期間Ｂ２が、
Ｂ２＞（ＴＡ−ＴＢ）／Ｎ
となるように、制御回路６が映像信号の出力を制御する。これにより、移動する物体の期待位置と実際に画像として表示される物体の位置とのずれが小さくなり、画像中の動体の動きの不自然さを軽減することができる。
【００７４】
時間Ｂ１、時間Ｂ２および画像の表示期間それぞれの時間は適宜設定することができる。例えば、入力映像信号の映像信号リフレッシュレートが６０Ｈｚである場合、フレーム周期は約１６ｍｓである。従って、本実施例においては、例えば、２つのフィールドの表示期間としてそれぞれ約６．０ｍｓを割り当て、時間Ｂ１に約０．１ｍｓを割り当て、時間Ｂ２に約３．９ｍｓを割り当てればよい。
【００７５】
時間Ｂ１が短いほど、また時間Ｂ２が長いほど、画像の動き特性は改善される。ただし、時間Ｂ１と時間Ｂ２のトータルの時間が長くなるほど表示される画像が暗くなる傾向にあるので、時間Ｂ１，Ｂ２および画像表示期間の時間配分は、画像表示装置の特性や用途に応じて設定されることが好ましい。時間Ｂ１の長さはゼロでもよい。
【実施例２】
【００７６】
本実施例では、入力されたノンインタレース映像信号における１フレームの映像信号が２つのサブフレーム分の映像信号に複製され、各サブフレーム分の映像信号がノンインタレース走査により表示される。
【００７７】
図７は、本実施例における表示タイミング制御を示すタイミングチャートである。
【００７８】
走査線変換部８は、表示信号Ｓ４をフレームメモリ９に一旦蓄え、１フレーム遅れで、フレームメモリ９から（１，２，３，４，５，・・・，１，２，３，４，５，・・・）の順に各行のデータを読み出し、走査線変換信号Ｓ１１として出力する。このとき、走査線変換部８は、表示信号Ｓ４の２倍の速度で読み出し及び出力を実行する。
【００７９】
一方、走査駆動部２は、走査配線Ｄｘ１〜Ｄｘｍを１行ずつ走査する。詳しくは、走査駆動部２は、まず、Ｄｘ１，Ｄｘ２，Ｄｘ３，Ｄｘ４，・・・の順に走査配線を選択状態にして走査を行い、次にもう一度Ｄｘ１，Ｄｘ２，Ｄｘ３，Ｄｘ４，・・・の順に走査を行う。これらの走査は、表示信号Ｓ４の走査に対して２倍の速度で行う。
【００８０】
このように画面を表示することによって、表示リフレッシュレートが映像信号リフレッシュレートの２倍となる。例えば、映像信号リフレッシュレートが６０Ｈｚの場合には、表示リフレッシュレートが１２０Ｈｚとなり、画面のちらつき（フリッカ）が低減される。
【００８１】
また、本実施例では、図７に示すように、１垂直走査分の第１の入力映像信号（フレーム（Ｆ１）（不図示））に対応する複数の画像（サブフレーム（Ｆ１−１）の画像およびサブフレーム（Ｆ１−２）の画像）の表示の終了と、次の１垂直走査分の第２の入力映像信号（フレーム（Ｆ２））に対応する画像（サブフレーム（Ｆ２−１）の画像）の表示の
開始と、の間に設けられる第二の非表示期間Ｂ２が、サブフレーム（Ｆ１−１）の画像の表示の終了とサブフレーム（Ｆ１−２）の画像の表示の開始との間に設けられる第一の非表示期間Ｂ１よりも長くなるように、制御回路６が映像信号の出力を制御する。すなわち、フレーム（Ｆ１）の入力映像信号に対応するサブフレーム（Ｆ１−１）の画像の表示の開始からフレーム（Ｆ２）の入力映像信号に対応するサブフレーム（Ｆ２−１）の画像の表示の開始までの期間をＴＡ、フレーム（Ｆ１）の入力映像信号に対応する複数のサブフレーム（サブフレーム（Ｆ１−１）およびサブフレーム（Ｆ１−２））の画像の表示期間の合計をＴＢ、サブフレームの画像の数をＮとしたとき、第二の非表示期間Ｂ２が、
Ｂ２＞（ＴＡ−ＴＢ）／Ｎ
となるように、制御回路６が映像信号の出力を制御する。これにより、移動する物体の期待位置と実際に画像として表示される動体の位置とのずれが小さくなり、画像中の動体の動きの不自然さを軽減することができる。
【００８２】
本実施例の構成は、走査線を緻密に表示できるので、高精細な画像表示装置に好適である。
【実施例３】
【００８３】
実施例１では、インタレース走査の際に２ラインずつ走査配線を選択状態にしたのに対し、本実施例では、１つの走査配線ずつ選択状態にする。その他の構成は実施例１と同様である。
【００８４】
図８は、本実施例における表示タイミング制御を示すタイミングチャートである。
【００８５】
走査線変換部８は、ノンインタレース構造の表示信号Ｓ４をフレームメモリ９に一旦蓄え、１フレーム遅れで、フレームメモリ９から（１，３，５，７，・・・，２，４，６，８，・・・）の順に各行のデータを読み出し、走査線変換信号Ｓ１１として出力する。これによりインタレース構造への走査線変換が行われる。
【００８６】
一方、走査駆動部２は、まず、Ｄｘ１，Ｄｘ３，Ｄｘ５，・・・の順に走査配線を選択状態にして２ラインずつシフトするように走査を行い、次にＤｘ２，Ｄｘ４，Ｄｘ６，Ｄｘ８，・・・の順に走査を行う。
【００８７】
また、本実施例でも第一の実施例と同様に、制御回路６が映像信号の出力を制御する。すなわち、フレーム（Ｆ１）の入力映像信号に対応するフィールド（Ｆ１−１）の画像の表示の開始からフレーム（Ｆ２）の入力映像信号に対応するフィールド（Ｆ２−１）の画像の表示の開始までの期間をＴＡ、フレーム（Ｆ１）の入力映像信号に対応する複数のフィールド（フィールド（Ｆ１−１）およびフィールド（Ｆ１−２））の画像の表示期間の合計をＴＢ、フィールドの画像の数をＮとしたとき、第二の非表示期間Ｂ２が、
Ｂ２＞（ＴＡ−ＴＢ）／Ｎ
となるように、制御回路６が映像信号の出力を制御する。
【００８８】
これにより、実施例１と同様、ちらつきの低減と画像の動き特性の改善が図られる。
【００８９】
加えて、本実施例の構成では１フィールド内で走査線の重複が無いので、実施例１と比べて垂直解像度が向上するという利点がある。また、本実施例の構成は、実施例２と比べて回路の動作速度が低速でよいので、ローコストかつ高精細を必要とする場合に好適である。
【実施例４】
【００９０】
実施例２では、１つの走査配線だけを選択状態にしたのに対し、本実施例では、ノンイ
ンタレース走査において２ラインずつ走査配線を選択状態にする。その他の構成は実施例２と同様である。
【００９１】
図９は、本実施例における表示タイミング制御を示すタイミングチャートである。
【００９２】
走査駆動部２は、まず、（Ｄｘ１，Ｄｘ２），（Ｄｘ２，Ｄｘ３），（Ｄｘ３，Ｄｘ４），・・・の順に２ライン同時に選択状態にして１ラインずつシフトするように走査を行う。次にもう一度（Ｄｘ１，Ｄｘ２），（Ｄｘ２，Ｄｘ３），（Ｄｘ３，Ｄｘ４），・・・の順に走査を行う。すなわち、走査配線を重複させながら、表示信号Ｓ４の走査に対して２倍の速度で走査を行う。
【００９３】
また、本実施例でも、第二の実施例と同様に、映像信号の出力を制御する。すなわち、フレーム（Ｆ１）の入力映像信号に対応するサブフレーム（Ｆ１−１）の画像の表示の開始からフレーム（Ｆ２）の入力映像信号に対応するサブフレーム（Ｆ２−１）の画像の表示の開始までの期間をＴＡ、フレーム（Ｆ１）の入力映像信号に対応する複数のサブフレーム（サブフレーム（Ｆ１−１）およびサブフレーム（Ｆ１−２））の画像の表示期間の合計をＴＢ、サブフレームの画像の数をＮとしたとき、第二の非表示期間Ｂ２が、
Ｂ２＞（ＴＡ−ＴＢ）／Ｎ
となるように、制御回路６が映像信号の出力を制御する。
【００９４】
これにより、実施例２と同様、ちらつきの低減と画像の動き特性の改善が図られる。
【００９５】
加えて、本実施例の構成では走査配線が重複選択されるので画面の輝度が向上するという利点がある。また、走査線の重なりが密なので、ラインのちらつきも大幅に低減される。高輝度かつ大面積の画像表示装置ではフリッカが目立つ傾向があるので、本実施例はそのような画像表示装置に好適である。
【実施例５】
【００９６】
本実施例では、画像表示装置にインタレース映像信号が入力される。そして、インタレース映像信号の１フィールド分の映像信号が２つのサブフィールド分の映像信号に分割され、各サブフィールド分の映像信号がインタレース走査により表示される。また、実施例１と同様、走査配線の重複選択を行う。
【００９７】
図１０は、本実施例における表示タイミング制御を示すタイミングチャートである。
【００９８】
走査線変換部８は、インタレース構造の表示信号Ｓ４をフレームメモリ９に一旦蓄え、１フィールド分遅れで、フレームメモリ９から（１，３，５，７，・・・，１，３，５，７，・・・）の順に各行のデータを読み出し、走査線変換信号Ｓ１１として出力する。このとき、走査線変換部８は、表示信号Ｓ４の２倍の速度で読み出し及び出力を実行する。
【００９９】
一方、走査駆動部２は、まず、（Ｄｘ１，Ｄｘ２），（Ｄｘ３，Ｄｘ４），（Ｄｘ５，Ｄｘ６），・・・の順に２ライン同時に選択状態にして２ラインずつシフトするように走査を行う。次にもう一度（Ｄｘ１，Ｄｘ２），（Ｄｘ３，Ｄｘ４），（Ｄｘ５，Ｄｘ６），・・・の順に走査を行う。このとき、表示信号Ｓ４の走査に対して２倍の速度で走査を行う。
【０１００】
次のフィールド（Ｆ１−２）の映像信号に対応するサブフィールド（Ｆ１−２−１、Ｆ１−２−２）の映像信号については、走査線変換部８が、（２，４，６，…、２，４，６，…）の順に、各行の走査線変換信号Ｓ１１を表示信号Ｓ４の２倍の速度で出力する。また、走査駆動部２は、まず、（Ｄｘ２，Ｄｘ３），（Ｄｘ４，Ｄｘ５），（Ｄｘ６，Ｄｘ
７），・・・の順に２ライン同時に選択状態にして２ラインずつシフトするように走査を行う。次にもう一度（Ｄｘ２，Ｄｘ３），（Ｄｘ４，Ｄｘ５），（Ｄｘ６，Ｄｘ７），・・・の順に走査を行う。このとき、表示信号Ｓ４の走査に対して２倍の速度で走査を行う。
【０１０１】
また、本実施例では、１垂直走査分の第１の入力映像信号（フィールド（Ｆ１−１）（不図示））に対応する複数の画像（サブフィールド（Ｆ１−１−１）の画像およびサブフィールド（Ｆ１−１−２）の画像）の表示の終了と、次の１垂直走査分の第２の入力映像信号（フィールド（Ｆ１−２））に対応する画像（サブフィールド（Ｆ１−２−１）の画像）の表示の開始と、の間に設けられる第二の非表示期間Ｂ２が、サブフィールド（Ｆ１−１−１）の画像の表示の終了とサブフィールド（Ｆ１−１−２）の画像の表示の開始との間に設けられる第一の非表示期間Ｂ１よりも長くなるように、制御回路６が映像信号の出力を制御する。すなわち、フィールド（Ｆ１−１）の入力映像信号に対応するサブフィールド（Ｆ１−１−１）の画像の表示の開始からフィールド（Ｆ１−２）の入力映像信号に対応するサブフィールド（Ｆ１−２−１）の画像の表示の開始までの期間をＴＡ、フィールド（Ｆ１−１）の入力映像信号に対応する複数のサブフィールド（サブフィールド（Ｆ１−１−１）およびサブフィールド（Ｆ１−１−２））の画像の表示期間の合計をＴＢ、サブフィールドの画像の数をＮとしたとき、第二の非表示期間Ｂ２が、
Ｂ２＞（ＴＡ−ＴＢ）／Ｎ
となるように、制御回路６が表示タイミングを制御する。
【０１０２】
これにより、インタレース映像信号が入力される場合も、上述した実施例と同様、ちらつきの低減と画像の動き特性の改善が図られる。
【実施例６】
【０１０３】
次に、３−２プルダウン変換後の映像信号が入力されたときの表示タイミング制御について説明する。
【０１０４】
３−２プルダウン変換とは、１垂直走査分の元映像信号から３つの垂直走査分の映像信号に変換し、１垂直走査分の元映像信号から２つの垂直走査分の映像信号に変換し、これら映像信号を交互に配置するように変換することをいう。一般に、映像信号リフレッシュレートが２４Ｈｚの映像信号を、映像信号リフレッシュレートが６０Ｈｚのノンインタレース映像信号あるいは映像信号リフレッシュレートが３０Ｈｚのインタレース映像信号に変換することをいう。２−３プルダウン変換も同義で用いられる。
【０１０５】
本実施例では、映像信号リフレッシュレートが２４Ｈｚの元映像信号を３−２プルダウン変換することにより生成された、映像信号リフレッシュレートが６０Ｈｚのノンインタレース映像信号を画像表示装置に入力するものとする。図１１（ａ）に例示された映像信号では、元映像信号の奇数フレームが２つ（Ｆ１−１，Ｆ１−２、Ｆ３−１，Ｆ３−２、・・・）の映像信号に複製される。また、元映像信号の偶数フレームが３つ（Ｆ２−１，Ｆ２−２，Ｆ２−３、Ｆ４−１，Ｆ４−２，Ｆ４−３、・・・）の映像信号に複製される。なお、Ｆ１−ｘは、元映像信号のフレームＦ１の複製フレームの映像信号を表している。
【０１０６】
画像処理部７は、１フレーム分の元映像信号から、Ｎ回（Ｎは整数）の垂直走査によって順次画像が表示されるように変換された入力映像信号のうち、１垂直走査分の映像信号に対応する、Ｎ回よりも少ないＭ回（Ｍは整数）の垂直走査によって順次表示される画像の映像信号を、走査線変換部８に出力する。具体的には、１フレーム分の元映像信号から変換された３つのフレーム分の映像信号が入力されたときは、そのうち、２つのフレーム分の映像信号を出力する。また、１フレーム分の元映像信号から変換された２つのフレー
ム分の映像信号が入力されたときは、２つのフレーム分の映像信号を出力する。つまり、３つのフレーム分の映像信号のうち１つのフレーム分の映像信号を出力しない。この表示しないフレームの映像信号は、３つのうちいずれでも構わないが、本実施例では表示しないフレームの映像信号を３番目の複製フレーム（Ｆ２−３，Ｆ４−３，・・・）の映像信号とする。
【０１０７】
本実施例では、図１１（ｂ）に示すように、１垂直走査分の第１の入力映像信号（入力映像信号のフレーム（Ｆ１−１））に対応する複数の画像（フレーム（Ｆ１−１）の画像およびフレーム（Ｆ１−２）の画像）の表示の終了と、次の１垂直走査分の第２の入力映像信号（入力映像信号のフレーム（Ｆ２−１））に対応する画像（フレーム（Ｆ２−１）の画像）の表示の開始と、の間に設けられる第二の非表示期間Ｂ２が、フレーム（Ｆ１−１）の画像の表示の終了とフレーム（Ｆ１−２）の画像の表示の開始との間に設けられる第一の非表示期間Ｂ１よりも長くなるように、制御回路６が映像信号の出力を制御する。すなわち、入力映像信号のフレーム（Ｆ１−１）に対応するフレーム（Ｆ１−１）の画像の表示の開始から入力映像信号のフレーム（Ｆ２）に対応するフレーム（Ｆ２−１）の画像の表示の開始までの期間をＴＡ、フレーム（Ｆ１−１）の入力映像信号に対応する複数のフレーム（フレーム（Ｆ１−１）およびフレーム（Ｆ１−２））の画像の表示期間の合計をＴＢ、フレームの画像の数をＮとしたとき、第二の非表示期間Ｂ２が、
Ｂ２＞（ＴＡ−ＴＢ）／Ｎ
となるように、制御回路６が映像信号の出力を制御する。
【０１０８】
第一の非表示期間Ｂ１、第二の非表示期間Ｂ２および画像の表示期間それぞれの期間は適宜設定することができる。例えば、第一の非表示期間Ｂ１に約０．６ｍｓ、第二の非表示期間Ｂ２に約９．０ｍｓ、１つのフレームの画像の表示期間に１６．０ｍｓを割り当てればよい。
【０１０９】
以上のように画像表示期間および非表示期間を設定することで、３−２プルダウン変換された映像信号をもとに表示される映像で生じていた動体の動きの違和感を解消することができる。
【実施例７】
【０１１０】
上記実施例１乃至５では、１垂直走査分の入力映像信号に対応する画像を２回の垂直走査によって表示したが、１垂直走査分の入力映像信号に対応する画像を３回以上の垂直走査によって表示する構成も可能である。本実施例では、１フレーム分のノンインタレース映像信号から３つのサブフレーム分の映像信号を生成し、それらをノンインタレース走査により表示する例を示す。
【０１１１】
図１２は、本実施例における表示タイミング制御を示すタイミングチャートである。
【０１１２】
走査線変換部８は、表示信号Ｓ４をフレームメモリ９に一旦蓄え、１フレーム分遅れで、フレームメモリ９から（１，２，３，４，５，・・・，１，２，３，４，５，・・・，１，２，３，４，５，・・・）の順に各行のデータを読み出す。そして読み出されたデータは、走査線変換信号Ｓ１１として出力される。このとき、走査線変換部８は、表示信号Ｓ４の３倍の速度で読み出し及び出力を実行する。
【０１１３】
一方、走査駆動部２は、まず、Ｄｘ１，Ｄｘ２，Ｄｘ３，Ｄｘ４，・・・の順に走査配線を選択状態にして走査を行い、続いてもう２回Ｄｘ１，Ｄｘ２，Ｄｘ３，Ｄｘ４，・・・の順に走査を行う。このとき、表示信号Ｓ４の走査に対して３倍の速度で走査を行う。
【０１１４】
このように画面を表示することによって、表示リフレッシュレートが映像信号リフレッ
シュレートの３倍となる。例えば、映像信号リフレッシュレートが２４Ｈｚのような低リフレッシュレートの映像信号であっても、表示リフレッシュレートは７２Ｈｚとなり、画面のちらつき（フリッカ）が低減される。
【０１１５】
また、本実施例でも、１垂直走査分の第１の入力映像信号（フレーム（Ｆ１）（不図示））に対応する複数の画像（サブフレーム（Ｆ１−１）の画像，サブフレーム（Ｆ１−２）の画像およびサブフレーム（Ｆ１−３）の画像）の表示の終了と、次の１垂直走査分の第２の入力映像信号（フレーム（Ｆ２））に対応する画像（サブフレーム（Ｆ２−１）の画像）の表示の開始と、の間に設けられる第二の非表示期間Ｂ２が、サブフレーム（Ｆ１−１）の画像の表示の終了とサブフレーム（Ｆ１−２）の画像の表示の開始との間、およびサブフレーム（Ｆ１−２）の画像の表示の終了とサブフレーム（Ｆ１−３）の画像の表示の開始との間に設けられる第一の非表示期間Ｂ１よりも長くなるように、制御回路６が映像信号の出力を制御する。すなわち、フレーム（Ｆ１）の入力映像信号に対応するサブフレーム（Ｆ１−１）の画像の表示の開始からフレーム（Ｆ２）の入力映像信号に対応するサブフレーム（Ｆ２−１）の画像の表示の開始までの期間をＴＡ、フレーム（Ｆ１）の入力映像信号に対応する複数のサブフレーム（サブフレーム（Ｆ１−１），サブフレーム（Ｆ１−２）およびサブフレーム（Ｆ１−３））の表示期間の合計をＴＢ、サブフレームの画像の数をＮとしたとき、第二の非表示期間Ｂ２が、
Ｂ２＞（ＴＡ−ＴＢ）／Ｎ
となるように、制御回路６が映像信号の出力を制御する。
【０１１６】
例えば、映像信号フレームレートが２４Ｈｚである場合、３つのサブフレームの画像の表示期間にそれぞれ約１１ｍｓを割り当てる。そして、第一の非表示期間Ｂ１に約０．１ｍｓ（Ｂ１１とＢ１２それぞれに約０．０５ｍｓ）を割り当て、第二の非表示期間Ｂ２に約８．５ｍｓを割り当てればよい。これにより、上記実施例と同様、動きの違和感を解消することができる。
【実施例８】
【０１１７】
本実施例では、２値の明るさのうちいずれかの明るさの画像を時系列的に組み合わせることによりカラーかつ中間調の画像を構成する面順次方式の画像表示装置において、画像を表示する例を示す。このような画像表示装置としては、例えば多数の、赤、青、緑の画素をそれぞれ有するプラズマ表示素子を用意し、この素子をサブフィールド方式により駆動する画像表示装置が挙げられる。
【０１１８】
１垂直走査により表示される画像が２値の明るさのうちいずれかの明るさとなるようにして、複数回の垂直走査により点灯している総時間を制御することによって、１垂直走査分の入力映像信号に対応する、カラーかつ中間調の画像を構成する。
【０１１９】
そして、１垂直走査分の入力映像信号に対応する、複数のカラーかつ中間調の画像を表示する。
【０１２０】
図１７は、本実施例における映像信号の構成を示す図である。
【０１２１】
図中の、黒は、画像の非表示（黒表示）期間に相当し、白は、画像の表示期間に相当する。
【０１２２】
本実施例では、フレーム（Ｆ１（不図示））の入力映像信号に対応する、複数のフィールド（Ｆ１−１およびＦ１−２）の出力映像信号をもとに、複数のカラーかつ中間調の画像が表示される。ここで、出力映像信号の各々のフィールドの映像信号は、さらに複数回の垂直走査分の映像信号で構成される。
【０１２３】
本実施例では、１垂直走査分の第１の入力映像信号（フレーム（Ｆ１））に対応する複数の画像（フィールド（Ｆ１−１）の画像およびフィールド（Ｆ１−２）の画像）の表示の終了と、次の１垂直走査分の第２の入力映像信号に対応する画像（フィールド（Ｆ２−１）の画像）の表示の開始と、の間に設けられる第二の非表示期間Ｂ２が、フィールド（Ｆ１−１）の画像の表示の終了と（Ｆ１−２）の画像の表示の開始との間に設けられる第一の非表示期間Ｂ１よりも長くなるように、制御回路６が映像信号の出力を制御する。すなわち、フレーム（Ｆ１）の入力映像信号に対応するフィールド（Ｆ１−１）の画像の表示の開始からフレーム（Ｆ２）の入力映像信号に対応するフィールド（Ｆ２−１）の画像の表示の開始までの期間をＴＡ、フレーム（Ｆ１）の入力映像信号に対応する複数のフィールド（フィールド（Ｆ１−１）およびフィールド（Ｆ１−２））の画像の表示期間の合計をＴＢ、フィールドの画像の数をＮとしたとき、第二の非表示期間Ｂ２が、
Ｂ２＞（ＴＡ−ＴＢ）／Ｎ
となるように、制御回路６が映像信号の出力を制御する。これにより、上記実施例と同様に、移動する物体の期待位置と、実際に画像として表示される物体の位置とのずれが小さくなり、画像中の物体の動きの不自然さを軽減することができる。
【実施例９】
【０１２４】
本実施例では、複数の単色画像を時系列的に組み合わせることによりカラーかつ中間調の画像を構成する色順次方式の画像表示装置において、画像を表示する例を示す。このような画像表示装置としては、例えば順次点灯可能な３原色光源を組み合わせたカラー光源方式の液晶表示装置において、インパルス型表示を行う画像表示装置が挙げられる。１垂直走査により表示される画像が単色（１画像を構成する画素が同色）で構成されている。そして、複数回の垂直走査により表示される画像の色（たとえば赤、青、緑の３原色）を組み合わせることによって、１垂直走査分の入力映像信号に対応する、カラーかつ中間調の画像を構成する。
【０１２５】
図１８は、本実施例における映像信号の構成を示す図である。
【０１２６】
図中の、黒は、画像の非表示（黒表示）期間に相当し、白は、画像の表示期間に相当する。
【０１２７】
本実施例では、１垂直走査分の第１の入力映像信号（フレーム（Ｆ１））に対応する複数の画像（フィールド（Ｆ１−１）の画像およびフィールド（Ｆ１−２）の画像）の表示の終了と、次の１垂直走査分の第２の入力映像信号に対応する画像（フィールド（Ｆ２−１）の画像）の表示の開始と、の間に設けられる第二の非表示期間Ｂ２が、フィールド（Ｆ１−１）の画像の表示の終了とフィールド（Ｆ１−２）の画像の表示の開始との間に設けられる第一の非表示期間Ｂ１よりも長くなるように、制御回路６が映像信号の出力を制御する。すなわち、フレーム（Ｆ１）の入力映像信号に対応するフィールド（Ｆ１−１）の画像の表示の開始からフレーム（Ｆ２）の入力映像信号に対応するフィールド（Ｆ２−１）の画像の表示の開始までの期間をＴＡ、フレーム（Ｆ１）の入力映像信号に対応する複数のフィールド（フィールド（Ｆ１−１）およびフィールド（Ｆ１−２））の画像の表示期間の合計をＴＢ、フィールドの画像の数をＮとしたとき、第二の非表示期間Ｂ２が、
Ｂ２＞（ＴＡ−ＴＢ）／Ｎ
となるように、制御回路６が映像信号の出力を制御する。これにより、上記実施例と同様に、移動物体の期待位置と実際に画像として表示される位置とのずれが小さくなり、動きの不自然さを軽減することができる。
【実施例１０】
【０１２８】
図１３に、上記各実施例で述べた画像表示装置を用いて構成することができる映像受信
表示装置の例を示す。図１３において、映像受信表示装置は、映像情報受信装置１００、画像信号生成回路１０１、画像表示器１０２を備える。また、本実施例では、画像信号生成回路１０１と画像表示器１０２とをあわせて画像表示装置１０３とよぶ。
【０１２９】
映像情報受信装置１００で受信された映像信号は、画像信号生成回路１０１に入力される。画像信号生成回路１０１は、受信された映像信号から画像表示装置１０２に適した映像信号を生成し、その信号を画像表示装置１０２に入力する。そして、画像表示装置１０２は、入力された映像信号に基づいて画像を表示する。
【０１３０】
映像情報受信装置１００としては、例えば、無線放送、有線放送、インターネットを介した映像放送等を選局し受信できるチューナーのような受信機を挙げることが出来る。また、映像情報受信装置１００に音響装置等を接続し、更に画像信号生成回路１０１、および画像表示器１０２を含めてテレビセットを構成することが出来る。映像情報受信装置１００は、セットトップボックス（ＳＴＢ）として画像表示装置１０３の筐体とは別の筐体に収められていてもよいし、画像表示装置１０３の筐体に収められていてもよい。
【０１３１】
上述した実施例では、フレームメモリ９に一旦蓄えられた映像信号を、１フレーム遅れで読み出す構成とした。従って、Ｓ１１はＳ４に対して１フレーム分遅れる。しかしながら、本発明に係る画像表示装置において、フレームメモリ９から１フレーム分以上遅れて読み出す構成としてもよい。
【図面の簡単な説明】
【０１３２】
【図１】本発明の実施形態に係る画像表示装置の構成を示す図。
【図２】表示パネルの斜視図。
【図３】電子放出素子の電流電圧特性を示す図。
【図４】実施例１における表示タイミング制御を示すタイミングチャート。
【図５】実施例１における映像信号の構成を示す図。
【図６】実施例１における表示位置と期待位置との関係を示す図。
【図７】実施例２における表示タイミング制御を示すタイミングチャート。
【図８】実施例３における表示タイミング制御を示すタイミングチャート。
【図９】実施例４における表示タイミング制御を示すタイミングチャート。
【図１０】実施例５における表示タイミング制御を示すタイミングチャート。
【図１１】実施例６における映像信号の構成を示す図。
【図１２】実施例７における表示タイミング制御を示すタイミングチャート。
【図１３】実施例１０に係る映像受信表示装置の構成を示す図。
【図１４】通常表示における表示位置と期待位置との関係を示す図。
【図１５】従来の倍速表示における表示位置と期待位置との関係を示す図。
【図１６】３−２プルダウン変換を示す図。
【図１７】実施例８における映像信号の構成を示す図。
【図１８】実施例９における映像信号の構成を示す図。
【図１９】従来の倍速表示における表示タイミング制御を示すタイミングチャート。
【符号の説明】
【０１３３】
１  表示パネル
２  走査駆動部
３  変調駆動部
４  同期分離部
５  ＡＤコンバータ
６  制御回路
７  画像処理部
８  走査線変換部
９  フレームメモリ
１０  リアプレート
１１  側壁
１２  フェースプレート
１３  基板
２２  スイッチ
２３  選択電圧発生部
２４  非選択電圧発生部
３１  シフトレジスタ
３２  ラッチ
３３  パルス幅変調回路
３４  駆動アンプ
１０１  画像信号生成回路
１０２  画像表示器
Ｓ１  アナログ映像信号
Ｓ２  同期信号
Ｓ３  デジタル映像信号
Ｓ４  画像処理後の映像信号
Ｓ５  変換タイミング信号
Ｓ６  画像処理制御信号
Ｓ７  映像クロック信号
Ｓ８  変調制御信号
Ｓ９  ＰＷＭクロック
Ｓ１０  走査制御信号
Ｓ１１  走査線変換後の映像信号
Ｓ１２  出力制御信号
Ｄｘ１〜Ｄｘｍ  走査配線
Ｄｙ１〜Ｄｙｎ  変調配線
【図１】
2006133741.tif 000003
【図２】
2006133741.tif 000004
【図３】
2006133741.tif 000005
【図４】
2006133741.tif 000006
【図５】
2006133741.tif 000007
【図６】
2006133741.tif 000008
【図７】
2006133741.tif 000009
【図８】
2006133741.tif 000010
【図９】
2006133741.tif 000011
【図１０】
2006133741.tif 000012
【図１１】
2006133741.tif 000013
【図１２】
2006133741.tif 000014
【図１３】
2006133741.tif 000015
【図１４】
2006133741.tif 000016
【図１５】
2006133741.tif 000017
【図１６】
2006133741.tif 000018
【図１７】
2006133741.tif 000019
【図１８】
2006133741.tif 000020
【図１９】
2006133741.tif 000021